(57)【要約】【課題】  押圧固定する光学部品の大きさに対して、当接面１３６ｄの面積が小さい押圧部材では、光学部品に対して線荷重またはそれに限りなく近い状態となるため、特にガラスや合成樹脂で成形された光学部品の場合に押圧力がばらつくため光学部品が変形し、収差が悪化するなど光学特性が劣化する問題があった。【解決手段】  光ピックアップ装置の光学部品を取り付け部に押圧固定する押圧部材であって、第１主面Ｓ６と第２主面Ｓ７を有し、第１主面Ｓ６の少なくとも一部に光学部品と面接触する当接面７ｄを含む当接部７ａと、当接部７ａの一端に連結し、第２主面Ｓ７方向に弾性変形可能に曲折する変形部７ｂと、当接部７ａの他端に連結し、当接部７ａに対して垂直に曲折する固定部７ｃとを具備し、当接面７ｄの一端から他端に向かう方向における長さＬ１は光学部品の当該方向における長さＬ２の２分の１以上とする。【選択図】    図５
2013097826.tif 000002
【特許請求の範囲】
【請求項１】
光ピックアップ装置を構成する部品を取り付け部に押圧して固定する押圧部材であって、
第１主面と第２主面を有し、前記第１主面の少なくとも一部に前記部品と面接触する当接面を含む当接部と、
該当接部の一端に連結し、前記第２主面方向に弾性変形可能に曲折する変形部と、
前記当接部の他端に連結し、前記当接部に対して垂直に曲折する固定部とを具備し、
前記当接面の前記一端から前記他端に向かう方向における長さは前記部品の前記方向における長さの２分の１以上であることを特徴とする押圧部材。
【請求項２】
前記当接部は前記固定部に対して複数設けられることを特徴とする請求項１に記載の押圧部材。
【請求項３】
前記当接部は前記部品の周辺部の対向する２辺と当接することを特徴とする請求項１または請求項２に記載の押圧部材。
【請求項４】
前記固定部は前記第２主面方向に曲折することを特徴する請求項１から請求項３のいずれかに記載の押圧部材。
【請求項５】
前記部品はガラスまたは樹脂の成形品であることを特徴とする請求項１から請求項４のいずれかに記載の押圧部材。
【請求項６】
前記当接部、前記変形部および前記固定部は金属板により一体的に成形されることを特徴とする請求項１から請求項５のいずれかに記載の押圧部材。
【請求項７】
ハウジングに取り付けられた発光素子と、
前記ハウジングに設けられた第１隔壁および第２隔壁と、
前記第１隔壁に当接する回折格子と、
該回折格子の一部に前記当接部が面接触し、前記第２隔壁に前記変形部が当接する請求項１から請求項６のいずれかに記載の押圧部材と、を具備することを特徴とする光ピックアップ装置。
【請求項８】
前記押圧部材は、前記固定部を前記第２隔壁下方の差込溝に差し込んで前記ハウジングに固定されることを特徴とする請求項７に記載の光ピックアップ装置。
【発明の詳細な説明】
【技術分野】
【０００１】
本発明は、押圧部材およびそれを用いた光ピックアップ装置に係り、特に光学特性の劣化を抑制する押圧部材およびそれを用いた光ピックアップ装置に関する。
【背景技術】
【０００２】
レーザー光を光ディスクの信号記録層に照射することによって信号の読み出し動作や信号の記録動作を行う光ディスク装置に用いられている光ピックアップ装置には、発光素子である半導体レーザー、及びこのレーザー光を分割する回折格子が組み込まれる。例えば、半導体レーザーはホルダーに保持され、ハウジングに固定される。また回折格子は、ハウジングに設けられ半導体レーザーから出射されるレーザービームの光路を形成する円筒状の孔に組み込まれるとともに、バネ部材を介してハウジングに固定される（例えば特許文献１参照。）。
【０００３】
図６は、従来の光ピックアップ装置２００の特にハウジング内の発光素子と回折格子の配置例を示す図であり、図６（Ａ）が平面図、図６（Ｂ）が図６（Ａ）のｄ−ｄ線断面図である。
【０００４】
ハウジング１２１には複数の隔壁１２１ａ、１２１ｂが設けられ、これにより発光素子１３４や光学部品を収納する収納部１２５ａ、１２５ｂ、１２５ｃが区画される。
【０００５】
発光素子１３４は、ここでは一例として２波長のレーザー光を出射できる半導体レーザーダイオードである。発光素子１３４は例えばベアチップの状態で、ホルダー（レーザーホルダー）１３３内に収納、保持される。
【０００６】
そしてホルダー１３３は、ハウジング１２１の収納部１２５ａに収納され、ハウジング１２１に固定される。またホルダー１３３には、レーザー光の出射方向の端部に、レーザー光の光路となる円筒形状の開口部ＯＰが設けられる。
【０００７】
開口部ＯＰには、ガラス板を基材とする複合部品１３０が設けられる。複合部品１３０は光学部品の１つであり、ガラス板の２分の１波長板１３１の一主面に、薄い樹脂性フィルムの偏光フィルタ１３２を張り付けたものである。複合部品１３０は開口部ＯＰを塞いで配置されてホルダー１３３内を略密閉状態とし、破線矢印の如くアウトガスがレーザー光の光路を防ぐことを防止する。
【０００８】
収納部１２５ｂを区画する両隔壁１２１ａ、１２１ｂにはそれぞれレーザー光の光路となる円筒形状の貫通孔ＰＴ１、ＰＴ２が設けられる。
【０００９】
隔壁１２１ａ、１２１ｂで区画された収納部１２５ｂには回折格子１３５と押圧部材１３６が収納される。押圧部材１３６は隔壁１２１ａ下方に差し込まれて固定され、回折格子１３５を隔壁１２１ｂ方向に押圧してこれを固定する。
【００１０】
開口部ＯＰ、貫通孔ＰＴ１、ＰＴ２を通過したレーザー光は、ハーフミラー１４０などによって反射され、アクチュエータ１５０で保持される対物レンズ１５１方向に導かれる。
【００１１】
図７は、図６（Ｂ）に示す回折格子１３５およびこれを押圧・固定する押圧部材１３６を説明する図であり、図７（Ａ）が押圧部材１３６を示す斜視図であり、図７（Ｂ）は押圧部材１３６を回折格子１３５に取り付けた場合の斜視図である。また図７（Ｃ）は押圧部材１３６をホルダー１３３側（＋Ｄｒ方向側）から見た平面図であり、図７（Ｄ）は押圧部材１３６を回折格子１３５に取り付けた状態をホルダー１３３側（＋Ｄｒ方向側）から見た平面図である。
【００１２】
尚ここでの方向は、図６に示す方向に対応しており、光ディスクの信号記録面に垂直な方向をＤｆ方向（フォーカシング方向）とし、説明の便宜上、光ディスクに近づく方向を＋Ｄｆ方向、離間する方向を−Ｄｆ方向とする。また、光ピックアップ装置２００光ディスク上の移動方向（光ディスクの径方向）をＤｒ方向（ラジアル方向）とし、これに垂直な方向（光ディスクの接線方向）をＤｔ方向（タンジェンシャル方向）として説明する。また、説明の便宜上、光ディスクの中心Ｃから離間する方向を＋Ｄｒ方向、近づく方向を−Ｄｒ方向として説明する。
【００１３】
押圧部材１３６は、ここでは１枚の金属板を図示の形状に打ち抜き及び折り曲げ加工した板バネであり、当接部１３６ａと変形部１３６ｂと固定部１３６ｃが一体的に成形されている。
【００１４】
当接部１３６ａは回折格子１３５に当接する部分（当接面１３６ｄ）を含む略平坦な平板状の部分である。回折格子１３５と実質的に当接する当接面１３６ｄはハッチングで示す領域の裏側であり、ここでは当接部１３６ａと当接面１３６ｄは同等の面積及び形状である。
【００１５】
変形部１３６ｂは当接部１３６ａの一端に連続し、弾性変形可能なように折り曲げ加工された部分であって、例えば当接部１３６ａの一端から＋Ｄｒ方向に鈍角に曲げ加工された第１変形部１３６ｂ１と、第１変形部１３６ｂ１とは離間しながらそこから更に−Ｄｆ方向に鋭角に折り曲げ加工された第２変形部１３６ｂ２を有する。第２変形部１３６ｂの先端は固定部１３６ｃに連続する。固定部１３６ｃは第２変形部１３６ｂに対して＋Ｄｒ方向に垂直に折り返されている。
【００１６】
固定部１３６ｃはハウジング１２１（第１隔壁１２１ａ）の差込溝Ｉ’に差し込むことによって、押圧部材１３６がハウジング１２１に固定される（図６（Ｂ）参照。）。
【先行技術文献】
【特許文献】
【００１７】
【特許文献１】特開２００５−２４３１０７号公報（第１１頁、第８図）
【発明の概要】
【発明が解決しようとする課題】
【００１８】
図７の如く、従来の押圧部材１３６は、押圧固定する光学部品（ここでは回折格子１３５）の大きさに対して、当接面１３６ｄの面積（ここでは当接部１３６ａと同等の面積）が小さい。具体的には、当接面１３６ｄのＤｆ方向の長さＬ１’は、回折格子１３５のＤｆ方向の長さＬ２’の２分の１より小さい（図７（Ｂ））。
【００１９】
当接部１３６ｄが２つ設けられている場合、これらを結んだ帯状の面積Ｓ’の領域で回折格子１３５荷重される。また、回折格子１３５側の当接面１３６ｄに対応する位置に突起が設けられているような場合は、線荷重またはそれに限りなく近い状態となる。
【００２０】
つまり、当接面１３６ｄの面積が、回折格子１３５の面積に対して大幅に小さい場合、線荷重若しくは線荷重に近い狭い面積Ｓ’の面荷重となり、回折格子６に対する圧力がばらつくため回折格子６が変形し、収差が悪化する問題がある。
【００２１】
この問題は、ガラスや合成樹脂などで成形された他の光学部品を押圧部材１３６が押圧する場合も同様に生じる。
【課題を解決するための手段】
【００２２】
本発明は、係る課題に鑑みてなされ、光ピックアップ装置を構成する部品を取り付け部に押圧して固定する押圧部材であって、第１主面と第２主面を有し、前記第１主面の少なくとも一部に前記部品と面接触する当接面を含む当接部と、該当接部の一端に連結し、前記第２主面方向に弾性変形可能に曲折する変形部と、前記当接部の他端に連結し、前記当接部に対して垂直に曲折する固定部とを具備し、前記当接面の前記一端から前記他端に向かう方向における長さは前記部品の前記方向における長さの２分の１以上であることにより解決するものである。
【発明の効果】
【００２３】
本発明によれば、光学部品（たとえば回折格子）をハウジングの取り付け部（隔壁）に押圧する押圧部材において、光学部品と平面的に当接する面積、すなわち荷重する面積を従来より拡張し、線荷重から大きい面積の面荷重とする。これにより、光学部品への押圧力を分散でき光学部品の変形を抑制できるため、収差の劣化を回避できる。
【００２４】
また、光学部品への押圧力が分散するため従来と比較して押圧力（荷重）の均一化が測れ、光学素子とハウジングの取り付け部との密着性を向上させることができる。特に押圧部材によって回折格子を隔壁に押圧固定し、閉じた空間を形成することで発光素子付近へのアウトガスの進入を遮断する構造に用いて好適である。
【００２５】
また、回折格子以外の光学部品を押圧、固定する場合にも適用でき、特に光学部品がガラス又は合成樹脂の成形部品の場合にはそれらの変形を抑制でき、光ピックアップ装置の光学特性の劣化を抑制できる。
【図面の簡単な説明】
【００２６】
【図１】本発明の実施形態における光ピックアップ装置の光学系を示す（Ａ）平面概略図、（Ｂ）断面概略図である。
【図２】本発明の実施形態における光ピックアップ装置を示す（Ａ）平面図、（Ｂ）断面図である。
【図３】本発明の実施形態における発光素子を説明する（Ａ）斜視図、（Ｂ）断面図、（Ｃ）平面図、（Ｄ）平面図である。
【図４】本発明の実施形態における回折格子を説明する（Ａ）斜視図、（Ｂ）斜視図、（Ｃ）断面図である。
【図５】本発明の実施形態における押圧部材を説明する（Ａ）斜視図、（Ｂ）斜視図、（Ｃ）平面図、（Ｄ）平面図である。
【図６】従来構造を説明する（Ａ）平面図、（Ｂ）断面図である。
【図７】従来構造を説明する（Ａ）斜視図、（Ｂ）斜視図、（Ｃ）平面図、（Ｄ）平面図である。
【発明を実施するための形態】
【００２７】
本発明の実施の形態を図１から図５を用いて詳細に説明する。
【００２８】
図１は、光ピックアップ装置１００の光学系の概略を示す図であり、図１（Ａ）が平面図である。図１（Ｂ）が図１（Ａ）のａ−ａ線断面図である。
【００２９】
光ピックアップ装置１００は、発光素子と各種光学部品によって構成された光学系によって、情報記録媒体（光ディスク）にレーザー光を放射し、光ディスクで反射したレーザー光を検出する。ここでは一例として、ＤＶＤ（Ｄｉｇｉｔａｌ  Ｖｅｒｓａｔｉｌｅ  Ｄｉｓｋ）規格の光ディスク及びＣＤ（Ｃｏｍｐａｃｔ  Ｄｉｓｋ）規格の光ディスクにそれぞれ対応した２つのレーザー光を、１つの対物レンズで集光する光学系を備える光ピックアップ装置１００について説明する。
【００３０】
図１（Ａ）を参照して、光ピックアップ装置１００は、ハウジング１内に発光素子３と各種光学部品が収められる。
【００３１】
発光素子３は、一例として半導体レーザーダイオードであり、波長が約６３０ｎｍ（ナノメータ）〜６７０ｎｍのレーザー光を出射するＤＶＤ用レーザーダイオードと、波長が約７７０ｎｍ〜８０５ｎｍのレーザー光を出射するＣＤ用レーザーダイオードとを、１つの半導体基板にモノリシックに集積化したものである。
【００３２】
回折格子６は、発光素子３から出射されるＤＶＤ用レーザー光およびＣＤ用レーザー光（以下、レーザ光）をそれぞれ、０次光、＋１次光及び−１次光に分離する。
【００３３】
ハーフミラー９は、例えば、一部のレーザー光を反射し、一部のレーザー光を透過させる。ハーフミラー９は、光学的特性に優れるガラスが用いられて形成されている。ハーフミラー９に代えて、例えば、ビームスプリッタが用いられてもよい。
【００３４】
コリメータレンズ１６は、ハーフミラー９側からこのレンズに入射された光を平行光にして、立ち上げミラー１７側に出射させる。平行光とは、光線が広がらずにどこまでも平行に進む光を意味する。これに対し、拡散光とは、さまざまな方向に光を拡散させて照射させる光源の光を意味する。
【００３５】
立ち上げミラー１７は平行光に変換されたレーザー光が入射される位置に設けられており、レーザー光を対物レンズ１８の方向（光ディスクの信号記録面に垂直な方向）に反射させる。尚、以下光ディスクの信号記録面に垂直な方向をＤｆ方向（フォーカシング方向）とし、説明の便宜上、光ディスクに近づく方向を＋Ｄｆ方向、離間する方向を−Ｄｆ方向とする。また、光ピックアップ装置１００の光ディスク上の移動方向（光ディスクの径方向）をＤｒ方向（ラジアル方向）とし、これに垂直な方向（光ディスクの接線方向）をＤｔ方向（タンジェンシャル方向）として説明する。また、説明の便宜上、光ディスクの中心Ｃから離間する方向を＋Ｄｒ方向、近づく方向を−Ｄｒ方向として説明する。
【００３６】
受光素子１５は、レーザー光の一部が照射されるフロントモニタダイオードであり、レーザー光を検出して発光素子３の制御のためにフィードバックをかける。
【００３７】
非点収差発生用光学部品１１は、例えばセンサーレンズ、シリンドリカルレンズ、ＡＳ（astigmatism）板などであり、レーザー光に非点収差を発生させる。非点収差が発生されたレーザー光は、光検出器１２に照射される。
【００３８】
光検出器１２は、光ディスクから反射されたレーザー光を受けて、その信号を電気信号に変え、光ディスクに記録された情報を検出する。光検出器１２は、例えば、フォトダイオード（photo  diode）と、集積回路（integrated  circuit）とが組み合わせられたフォトダイオードＩＣ（ＰＤＩＣ）である。
【００３９】
フォトダイオードは、周知の４分割センサー等を構成し、光ディスクから反射されたレーザー光を受けて、その信号を電気信号に変え、これにより光ディスクの信号記録層に記録されている信号の読み取り動作を行う。また電気信号は、非点収差法などによって生成されるフォーカスエラー信号や３ビーム法などによって生成されるトラッキングエラー信号を含む。フォーカスエラー信号によってフォーカシング制御動作が行われ、トラッキングエラー信号によってトラッキング制御動作が行われる。斯かる各種の信号生成方法およびこれらによる制御動作は、周知であるので、その説明は省略する。
【００４０】
図１（Ｂ）を参照して、対物レンズ１８は、立ち上げミラー１７で反射されたレーザー光を光ディスクＤの信号部へ集光させる。すなわち、発光素子３から出射したＤＶＤ用レーザー光は、対物レンズ１８の集光動作によってＤＶＤ規格の光ディスクＤ１に設けられている信号記録層に集光スポットとして照射される。また、発光素子３から出射したＣＤ用レーザー光は、対物レンズ１８の集光動作によってＣＤ規格の光ディスクＤ２に設けられている信号記録層に集光スポットとして照射される。尚、光ディスクＤは、光ディスクＤ１と光ディスクＤ２の総称である。
【００４１】
対物レンズ１８は、レンズホルダ（不図示）に装着され、レンズホルダ（不図示）は、アクチュエータ１９によって移動可能に支持される。
【００４２】
アクチュエータ１９は、例えば、対物レンズ１８が装着されるレンズホルダ（不図示）と、電流が流されることで発生する電磁力によりレンズホルダを駆動させるいずれも不図示の各コイルと、コイルに向かい合わせられ常に磁束を発生する磁石と、磁石が取り付けられるヨークとを備えて構成される。
【００４３】
図１（Ａ）（Ｂ）を参照して、光ピックアップ装置１００の集光動作について説明する。
【００４４】
発光素子３から出力されたレーザー光は、回折格子６を透過しハーフミラー９において略直角に反射され、コリメータレンズ１６に入射する。レーザー光は立ち上げミラー１７において略直角（＋Ｄｆ方向）に反射され、対物レンズ１８で集束されて、光ディスクＤに照射される。
【００４５】
また、発光素子３から出力されるレーザー光の一部は、ハーフミラー１８を透過して受光素子１５に照射される。
【００４６】
光ディスクＤで反射したレーザー光の戻り光は、対物レンズ１８、立ち上げミラー１７、コリメータレンズ１６及びハーフミラー９を透過し、非点収差発生用光学部品１１を透過して、光検出器１２に照射される。
【００４７】
図２は、本実施形態におけるハウジング１内部の配置について説明する図であり、図２（Ａ）がハウジング１内部の平面図であり、図２（Ｂ）が図２（Ａ）のｂ−ｂ線断面図である。尚、以下の図面においては本実施形態の主要な構成以外は省略している。
【００４８】
図２（Ａ）を参照して、本実施形態の光ピックアップ装置１００は、ハウジング１と第１隔壁１ａと、第２隔壁１ｂと、発光素子３と、回折格子６と、押圧部材７とを有する。
【００４９】
発光素子３から出射されるレーザー光の光路上に回折格子６およびハーフミラー９が設けられる。ハーフミラー９はレーザー光をアクチュエータ１９に保持される対物レンズ１８方向に反射するように、平面視において光路に対して傾斜して配置される。
【００５０】
図２（Ｂ）を参照して、ハウジング１は、例えば樹脂成形によって底面ＢＳと側面ＳＳを有する箱状に形成され、内部には第１隔壁１ａおよび第２隔壁１ｂが設けられて発光素子３および各種光学部品が収納される。
【００５１】
第１隔壁１ａは、ハウジング１の底面ＢＳから垂直（＋Ｄｆ方向）に設けられ、ハウジング１内で２つの収納部１０ａ、１０ｂを区画する。同様に第２隔壁１ｂは、ハウジング１の底面ＢＳから垂直（＋Ｄｆ方向）に設けられ、ハウジング１内で２つの収納部１０ｂ、１０ｃを区画する。ここでは一例として第１隔壁１ａ、第２隔壁１ｂの２つの隔壁を示しているが、ハウジング１内に収納される光学部品の形状や収納パターンに応じて適宜設けられる。第１隔壁１ａおよび第２隔壁１ｂは収納部を区画するが、光学部品によってはこれらに固定される場合もあり、光学部品の取り付け部となる場合もある。
【００５２】
第１隔壁１ａは、ハウジング１の側面ＳＳと対向する第１主面Ｓ１と第２主面Ｓ２とを有する。また第１主面Ｓ１から第２主面Ｓ２まで貫通する貫通孔５が設けられる。
【００５３】
ホルダー２は金属フレーム３１に実装された発光素子３を保持する。またホルダー２はレーザー光の出射方向の端部に、レーザー光の光路となる例えば円筒形状の開口部８が設けられ、開口部８の周囲が第１隔壁１ａの第１主面Ｓ１面側と当接する。より詳細には、第１主面Ｓ１面側の貫通孔５の周囲と当接する。
【００５４】
回折格子６は光学部品の１つであり、詳細は後述するが、レーザー光が透過する回折格子部６ａとこれの周辺部に設けられこれを保持する回折格子保持部６ｂとからなる。回折格子６は周辺部、すなわち回折格子部６ｂが第１隔壁１ａの第２主面Ｓ２面側と当接する。より詳細には、第２主面Ｓ２面側の貫通孔５の周囲と当接する。
【００５５】
回折格子６は、押圧部材（例えば板バネ）７が取り付けられ、これによって第１隔壁１ａ方向に押圧され、第１隔壁１ａと第２隔壁１ｂとの間に固定される。
【００５６】
ホルダー２、第１隔壁１ａおよび回折格子６によって、閉じた空間Ｅが構成される。ここで閉じた空間Ｅとは、発光素子３から出射されるレーザー光（実線矢印）の進行方向において、ハウジング１外部から進入するガスが遮断できる程度に物理的に閉じている空間（細破線の領域）をいう。そして発光素子３の発光点ＥＰから回折格子６に至るレーザー光の光路はこの閉じた空間Ｅ内に、存在する。また、ホルダー２の端子側においても可能な限り隙間が生じない構成となっている。
【００５７】
この構造により、回折格子６とホルダー２の間においてハウジング１外部から進入するガス（アウトガス）を遮断できるが、これについては後述する。
【００５８】
図３を参照して発光素子３の実装構造について説明する。図３（Ａ）が実装構造を示す斜視図であり、図３（Ｂ）が図３（Ａ）のｃ−ｃ線断面図、図３（Ｃ）が発光素子３が配置される側の平面図、図３（Ｄ）が図３（Ｂ）の裏面側の平面図である。
【００５９】
発光素子３は、ガラス面と金属で密閉されるいわゆるキャン（ＣＡＮ）パッケージに実装されるものではなく、発光素子（半導体レーザーダイオード）３のベアチップを開放型のベースに設置（または実装）するいわゆるフレーム型の実装構造である。
【００６０】
図３（Ａ）（Ｂ）を参照して、発光素子３は金属フレーム３１の一主面３１１側に搭載される。金属フレーム３１には発光素子３を囲み、発光点側が開放されたモールド樹脂層３２が設けられる。モールド樹脂層３２は金属フレーム３１の両主面３１１、３１２と一端を連続して覆うように設けられる。モールド樹脂層３２の端部には、発光素子３に接続する端子３３が設けられる。
【００６１】
フレーム型の実装構造では、ＣＡＮパッケージに比べてコストが安価である。その反面、ＣＡＮパッケージと異なり、実装した状態において発光素子３の発光点ＥＰの近傍がガラスや金属で密閉状態となっておらず、露出した（開放された）状態となっている。
【００６２】
そして、図２（Ｂ）の如くモールド樹脂層３２の他の主面側３２２側がホルダー２内に固着されるなどして、発光素子３がホルダー２に保持される。
【００６３】
図３（Ｃ）（Ｄ）を参照して、モールド樹脂層３２は金属フレーム３１の一主面３２１側と他の主面側３２２側ではその平面視における形状が異なっている。すなわち、モールド樹脂層３２は一主面３２１側の平面視においてはＣ字状（コの字状）で、他の主面３２２側は平板状に設けられる。
【００６４】
尚、本実施形態ではホルダー２の形状を改良することによっても従来構造（図６）と比較して放熱性を高めている。すなわち、従来構造のホルダー１３３は図６（Ａ）の平面視において、９辺からなる複雑な形状（特に回折格子１３５との対向辺がＬ字状）であった。しかし本実施形態では、図２（Ａ）に示す平面視において、５辺からなる五角形状の単純な構造（特に回折格子６との対向辺が直線）を採用し、従来構造よりその面積を拡大している。具体的には、ホルダー２の長手方向の幅Ｗ１は、従来構造の長手方向の最長の幅Ｗ３と同等とし、短手方向の幅Ｗ２は従来構造の短手方向の最長の幅Ｗ４と同等として、面積を増加している。尚、その場合当然ながら発光素子３（の発光点ＥＲ）から回折格子６間での距離は適切な値が選択されている。
【００６５】
図４を参照して回折格子６について説明する。
【００６６】
図４は回折格子６を示す斜視図であり、図４（Ａ）がレーザーの進入方向（＋Ｄｒ方向）から見た斜視図であり、図４（Ｂ）が押圧部材７の当接方向（−Ｄｒ方向）から見た斜視図であり、図４（Ｃ）が断面図である。
【００６７】
既述の如く、光学部品としての回折格子６は、レーザー光が透過する回折格子部６ａとこれの周辺部に設けられこれを保持する回折格子保持部６ｂおよび嵌合部６ｄを有する。
【００６８】
ここでの回折格子部６ａとは、レーザー光の進行方向からみた平面形状が例えば（略）円形状または（略）矩形状でたとえばその一主面にレーザー光を分離するための鋸歯状、正弦波状、あるいは矩形状などの溝Ｔが設けられた部分をいう。また回折格子保持部６ｂとは、回折格子部６ａの外側に例えば環状、Ｕ字状、矩形状などの額状に設けられて回折格子部６ａを保持する部分をいう。
【００６９】
回折格子部６ａと回折格子保持部６ｂは同質の材料で一体的に成形されて回折格子６が構成される。しかしこれに限らず、回折格子保持部６ｂは回折格子部６ａと別体に成形され、製造工程において回折格子部６ａが組み込まれて回折格子６が構成されるものであってもよい。
【００７０】
回折格子部６ａおよび回折格子保持部６ｂは、ガラスや、光学特性に優れ射出成形が可能で硬質な合成樹脂などにより成形される。合成樹脂材料の一例としては、熱可塑性合成樹脂であるポリカーボネート(Polycarbonate)や、透明性が高く光学特性を有するアクリル樹脂のポリメタクリル酸メチル樹脂（polymethylmethacrylate：ＰＭＭＡ）などが採用される。
【００７１】
ここでは、回折格子部６ａおよび回折格子保持部６ｂが合成樹脂により一体的に成形された回折格子６を用いる場合を例に説明する。
【００７２】
回折格子６は、第１主面Ｓ３側において、回折格子保持部６ｂ（第１主面Ｓ３）より突出する嵌合部６ｄが設けられる。嵌合部６ｄは回折格子部６ａを囲む環状であり、嵌合部６ｄが第１隔壁１ａの貫通孔５の内周壁の一部と嵌合する。
【００７３】
また、第２主面Ｓ４側の回折格子部６ａにはいずれも樹脂性フィルムで構成された２分の１波長板２０が張り付けられている。またこれに加えて偏光フィルタが張り付けられてもよく、尚、２分の１波長板２０（および偏光フィルタ）は回折格子６と別体にハウジング１内に収納されていてもよい。
【００７４】
さらに第２主面Ｓ４側において回折格子保持部６ｂの一部が突出した突出部６ｃが設けられる。突出部６ｃは押圧部材７が当接する領域であり、Ｄｆ方向において長さＬ１に渡って平坦な面となっている。長さＬ１は回折格子６のＤｆ方向の長さＬ２の２分の１以上の長さである。
【００７５】
図５は回折格子６を押圧・固定する押圧部材７を説明する図であり、図５（Ａ）が押圧部材７を示す斜視図であり、図５（Ｂ）は押圧部材７を回折格子６に取り付けた場合の斜視図である。また図５（Ｃ）は押圧部材７の−Ｄｒ方向から見た平面図であり、図５（Ｄ）は押圧部材７を回折格子６に取り付けた場合−Ｄｒ方向から見た平面図である。
【００７６】
図５（Ａ）を参照して、本実施形態の押圧部材７は光学部品を取り付け部に押圧して固定するものであって、当接部７ａと、当接部７ａの一端に連結して弾性変形可能に曲折する変形部７ｂと、当接部７ａの他端に連結して当接部７ａに対して垂直に曲折する固定部７ｃとを有する。ここでは１枚の金属板を図示の形状に打ち抜き及び折り曲げ加工して当接部７ａと変形部７ｂと固定部７ｃを一体的に成形した板バネを例に説明する。
【００７７】
当接部７ａは第１主面Ｓ６と第２主面Ｓ７を有する略平坦な平板状の部分であって回折格子６に面接触する部分（当接面７ｄ）を含む。ここで略平坦というのは、何らかの機能が生じることを目的とした曲げ加工が施されていない状態であることをいう。
【００７８】
変形部７ｂは当接部７ａの一端に連続し、弾性変形可能なように折り曲げ加工された部分であって、例えば当接部７ａの一端から当接部７ａとは離間しながら固定部７ｃの突出方向に鋭角に折り返された第１変形部７ｂ１と、その先端でさらに鈍角に（当接部７ａ側に戻す方向に）曲げ加工された第２変形部７ｂ２を有する。
【００７９】
固定部７ｃは当接部７ａの他端に連続し、−Ｄｒ方向にひさし状に突出した部分であり、これをハウジング１（第２隔壁１ｂ）の差込溝Ｉに差し込むことによって、押圧部材７がハウジング１に固定される（図２（Ｂ）参照。）。
【００８０】
つまり全体としての変形部７ｂと固定部７ｃは、互いの先端が対向するように当接部７ａに対して同じ方向（−Ｄｒ方向）に折り曲げられている。
【００８１】
異なる表現を用いると、固定部７ｃのＤｔ方向の両端から２つの当接部７ａが延在し、その先に変形部７ｂが設けられている。そして当接部７ａは＋Ｄｒ方向側の第１主面Ｓ６と−Ｄｒ方向側の第２主面Ｓ７を有しＤｆ方向を長手方向とする略矩形（短冊状）の部分であり、回折格子６は第１主面Ｓ６に当接される。すなわち、当接面７ｄは当接部７ａの第１主面Ｓ６側の面である。また変形部７ｂと固定部７ｃはいずれも当接部７ａの同じ主面側に折り曲げられる。すなわち、回折格子６と逆側の第２主面Ｓ７側に折り曲げられる。
【００８２】
尚、ここでは固定部７ｃのＤｒ方向の両端から＋Ｄｆ方向に延在する２本の当接部７ａをＵ字状に連結させて一体的に設けているが、これらを分離して固定部７ｃのＤｔ方向の両端に設けてもよい。
【００８３】
当接部７ａは少なくとも回折格子保持部６ｂの対向する２辺と当接し、変形部７ｂは弾性変形することで第２変形部７ｂ２が当接する隔壁（第２隔壁１ｂ）と回折格子６に押圧力を与える。すなわち変形部７ｂは弾性範囲内で与えられた力によって変形し、これにより弾性エネルギーを蓄える。そしてこの弾性エネルギーによって、第２隔壁１ｂと回折格子６を押圧する。
【００８４】
つまり第１隔壁１ａと第２隔壁１ｂで区画された収納部１０ｂに押圧部材７と回折格子６が収納される。そして、押圧部材７は第２隔壁１ｂ下方に固定部７ｃを差し込んでこれに固定されるとともに、回折格子６の取り付け部となる第１隔壁１ａに回折格子６を押圧してこれを固定する（図２（Ｂ））。
【００８５】
当接部７ａの第１主面Ｓ６の少なくとも一部は、回折格子保持部６ｂとの当接面７ｄとなる。当接面７ｄとは回折格子保持部６ｂの対向する２つの領域（ここでは２つの突出部６ｃ（図４（Ｃ）参照））と平面的に実質的に当接する（面接触する）面をいい、ハッチングで示す領域に相当する第１主面Ｓ６側の領域である。またここでは当接部７ａ一部を当接面７ｄとしているが、当接部７ａ全体（の第１主面Ｓ６側）が当接面７ｄとなってもよい。
【００８６】
図５（Ｂ）を参照して、本実施形態の当接面７ｄはハッチングの如く変形部７ｂ側の一端から固定部７ｃ側の他端に向かう方向（Ｄｆ方向）に長い長方形状（短冊状）であり、当該方向（ここでは長手方向：Ｄｆ方向）の長さＬ１は、回折格子６の同じ方向（Ｄｆ方向）の長さ（高さ）Ｌ２の２分の１以上である。
【００８７】
図５（Ｃ）（Ｄ）を参照して、２つの当接部７ａにおいて、回折格子６と面接触する当接面７ｄの長手方向の長さＬ１を長く確保することによって、この長さＬ１と２つの当接部７ａ間の距離Ｌ３の２辺で構成される面Ｓで回折格子６に対して荷重できる。
【００８８】
例えば当接面７ｄの長さＬ１が短い場合（例えば従来の図７の如く回折格子１３５のＤｆ方向の長さＬ２’の２分の１より小さい場合）は荷重する面Ｓ’の面積は小さくなり、極限まで小さくすると回折格子１３５と点接触となる。このような場合は、回折格子１３５に対して線荷重若しくは線荷重に近い狭い面荷重となり、回折格子１３５に対する圧力がばらつくため回折格子１３５が変形し、収差が悪化する問題がある。
【００８９】
本実施形態では、回折格子保持部６ｂの一部（突出部６ｃ）と面接触する当接面７ｄの長さＬ１を従来より長く確保することによって、回折格子６に対する面荷重の面積Ｓを十分に確保できる。この面積Ｓは、例えば回折格子６の平面視における面積の２分の１以上（図５（Ｄ）参照）である。これにより、回折格子６に対する押圧力を分散させることができるので回折格子６の変形を防止できる。また、後述するが、光ピックアップ装置１００の隔壁１ａに対して回折格子６を密着させることが可能となる。
【００９０】
尚、回折格子６に突出部６ｃは設けられていなくてもよく、その場合、回折格子６の一部（回折格子保持部６ｃ）と面接触する当接面７ｄの長さＬ１が回折格子６の長さＬ２の２分の１であればよい。つまり、突出部６ｃがない場合でも回折格子６には当接面７ｄとの面接触を確保できる長さＬ１にわたる平坦な領域が必要である。
【００９１】
また、回折格子保持部６ｂが略円形状の場合は、図示の場合より当接面７ｄの長さＬ１が短くなる場合があるが、その場合であってもＤｆ方向の長さＬ１が回折格子６の長さＬ２の２分の１以上になるようにすることが望ましい。
【００９２】
本実施形態の押圧部材７の当接面７ｄは、光学部品（例えば回折格子６）の２箇所（対向する２辺）と面接触する。そして２つの当接面７ｄの面積を稼ぐことで、回折格子６に対する面荷重の面積Ｓを拡大するものである。当接面７ｄはＤｔ方向の辺とＤｆ方向の辺からなる略矩形状であり、Ｄｔ方向の辺は、回折格子保持部６ｂのＤｔ方向の幅と同等である（図５（Ｂ）（Ｄ））。つまりＤｔ方向は、光路を確保する制約などから限界に近い状態まで確保されている。そこでＤｆ方向の長さＬ１をできる限り大きく確保し、面積Ｓの面積を拡張している。
【００９３】
つまりここでは矩形の２つの当接面７ｄの中心点（対角線の交点）を結ぶ直線に対して垂直な方向（Ｄｆ方向）の長さＬ１を伸長し、面積Ｓを拡張している。回折格子６はＤｆ方向の長さＬ２が従来の長さＬ２’と同等であり、この一部と面接触する当接面７ｄの長さＬ１を長くするだけで面荷重の面積Ｓを拡張できる。
【００９４】
このように押圧部材７は、当接面７ａのＤｆ方向の長さＬ１が、押圧部材７が押圧する光学部品のＤｆ方向の長さの２分の１以上であればよく、変形部７ｂは弾性変形が可能であれば折り曲げ形状は図示したものに限らない。
【００９５】
また、固定部７ｃと変形部７ｂはいずれも−Ｄｒ方向に折り曲げられているが、例えば固定部７ｃは＋Ｄｒ方向に折り曲げられていても良い。
【００９６】
また、ここでは当接部７ａは当接面７ｄが短冊状（長方形状）になるように２本の脚状（Ｕ字状）に設けられている場合を例に示しているが、略円形の回折格子部６ａの外周に沿った湾曲形状（円弧状）に設けられてもよい。また、２つに分離した当接部７ａではなく、連続した環状、矩形状に設けられてもよい。同様に、変形部７ｂも２つに分離した形状ではなく、連続したＵ字状、環状、矩形状に設けられてもよい。
【００９７】
また、１枚の金属板で構成された弾性部材７を例に説明したが複数の金属板を加工し、重ねるなどして図５（Ａ）に示すような形状としたものであってもよい。
【００９８】
更に押圧部材７は、板バネに変えて他の弾性部材であってもよい。他の弾性部材として例えば、硬質で弾性があり、温度での膨張・収縮で押圧力が変化しにくい樹脂などが考えられる。
【００９９】
更に、本実施形態では回折格子６を押圧固定する押圧部材を例に説明したが、これに限らない。すなわち押圧部材７は、取り付け部（隔壁やハウジングなど）に押圧固定される光学部品であれば、回折格子６以外であっても適用できる。
【０１００】
特に、ガラスや（硬質の）合成樹脂などで成形された部品（例えば本実施形態ではハーフミラー９、コリメータレンズ１６、あるいは図示はしていないが他の光学部品）を固定する場合には大きい面積Ｓの面荷重によって光学部品の変形を防止し、光ピックアップ装置の光学特性の劣化を抑えることができる。
【０１０１】
光学部品によって、部品の略中央をレーザー光の光路として確保する必要がない場合（例えばハーフミラーなどの場合）には、図５に示した２つの当接部７ａを連続した１つの平板状としてもよい。これにより、更に部品に対する押圧力を分散（均一に押圧）することが可能となる。
【０１０２】
再び、図２を参照して、ホルダー２は開口部８の周囲が第１隔壁１ａの第１主面Ｓ１（＋Ｄｒ側の主面）と当接する。第１隔壁１ａの第２主面Ｓ２（−Ｄｒ側の主面）は、回折格子６（回折格子保持部６ｂ）の第１主面Ｓ３（＋Ｄｒ側の主面）と当接する。回折格子６（回折格子保持部６ｂ）の第２主面Ｓ４（−Ｄｒ方向の主面）には押圧部材７が当接し、押圧部材７の固定部７ｃは第２隔壁１ｂ下方に設けられた差込溝Ｉに差し込まれるとともに第２隔壁１ｂの第１主面Ｓ５（＋Ｄｒ側の主面）と当接する。押圧部材７によって回折格子６は＋Ｄｒ方向に押圧され、第１隔壁１ａ、第２隔壁１ｂの間（収納部１０ｂ）に固定される。
【０１０３】
つまり、第１隔壁１ａの両主面側にそれぞれホルダー２と回折格子６が密着する。特に回折格子６は第１主面Ｓ３側において、回折格子部６ａが回折格子保持部６ｂ（第１主面Ｓ３）より＋Ｄｒ方向に突出する嵌合部６ｄが設けられており、嵌合部６ｄが第１隔壁１ａの貫通孔５の内周壁の一部と嵌合する。つまり、第１隔壁１ａとの十分な密着が確保されている。
【０１０４】
そして、本実施形態の押圧部材７は従来構造における押圧部材１３６（図７）と比較して、回折格子６と面接触する当接面７ｄの長さＬ１が長い（図５参照）。つまり従来と比較して、回折格子６に対する面荷重の面積Ｓが拡大している。これにより回折格子６に対する押圧力を偏ることなく（均等に）分散できる。これにより、回折格子６の変形を回避できるので、それによる収差の劣化を抑制するとともに、回折格子６と第１隔壁１ａとの密着性をより向上させることができる。
【０１０５】
この構造により、開口部８近傍のホルダー２と、第１隔壁１ａおよび回折格子６とによって、閉じた空間Ｅが構成されている。そして発光点ＥＰから回折格子６（第１主面Ｓ３側の回折格子部６ａ）に至るレーザー光の光路（太矢印）は閉じた空間Ｅ内に存在する。尚、当然ながらレーザー光は回折格子６を通過してハーフミラー９に至る。
【０１０６】
また、回折格子６からホルダー２までのハウジング１の底面ＢＳは開口部は設けられておらず、回折格子６とホルダー２の間においては底部ＢＳからのガスの進入は妨げられている。
【０１０７】
光ピックアップ装置１００は、発光点ＥＰから出射したレーザー光が開口部８を介してホルダー２の外部に放出されるまでの間にガラス等で遮られることがない。発光点ＥＰからの光は、ガラス板やフィルム、樹脂などの物理的な材料を通過することなく、開口部８および貫通孔９（閉じた空間Ｅ）を通過して回折格子６に直接、入射する。
【０１０８】
つまり従来構造においてホルダー１３３内に設けていた複合部品１３０を排除する構造であっても、回折格子６とホルダー２の間において、ホルダー２の外側で第１隔壁１ａと回折格子６を密着させて閉じた空間Ｅ（閉塞された空間）を作ることで、破線矢印の如くアウトガスが進入した場合であっても、これが発光点ＥＰ付近に到達することを防止できる。
【０１０９】
尚、本実施形態の光ピックアップ装置１００の光学系は一例であり、発光素子からの光を対物レンズにより集光し、光ディスクに照射して、該光ディスクで反射するレーザー光を検出してデータの記録又は読み出しを行うものであれば同様に実施できる。
【０１１０】
例えば、３つの異なる波長のレーザー光を出射する１つのレーザーダイオードが用いられ、３波長のレーザー光を１つの対物レンズに導く光学系であってもよいし、３つの個別のレーザーダイオードが用いられて１つの対物レンズまたは２つの対物レンズに導く光学系であってもよい。また１波長のみのレーザー光、２波長のレーザー光を１つまたは２つの対物レンズに導く光学系であっても同様に実施でき、同様の効果が得られる。
【符号の説明】
【０１１１】
１    ハウジング
１ａ  第１隔壁
１ｂ  第２隔壁
２    ホルダー
３    発光素子
５    貫通孔
６    回折格子
７    押圧部材
７ａ  当接部
７ｂ  変形部
７ｃ  固定部
７ｄ  当接面
１０ａ、１０ｂ、１０ｃ  収納部
【図１】
2013097826.tif 000003
【図２】
2013097826.tif 000004
【図３】
2013097826.tif 000005
【図４】
2013097826.tif 000006
【図５】
2013097826.tif 000007
【図６】
2013097826.tif 000008
【図７】
2013097826.tif 000009